(57)【特許請求の範囲】
【請求項１】
ユニットバスのパネル載置部の起立片に引掛け部を引っ掛けた固定具と片引戸用枠体の戸袋側縦枠とを連結具で連結した片引戸用枠体の支持構造において、
前記連結具は、戸袋側縦枠の脱衣室側に露出し、この脱衣室側から連結操作を行うことができる連結用操作部を有しており、
前記片引戸用枠体は、脱衣室側から前記連結用操作部の連結操作を行い、戸袋側に戸袋パネルを取付けて脱衣室に面して支持され、戸袋側縦枠の脱衣室側となる内面に、連結具の連結用操作部を露出したことを特徴とするユニットバスにおける片引戸用枠体の支持構造。
【請求項２】
前記戸袋側縦枠における前記固定具より上方部位に見込み方向規制具を連結具で連結し、前記戸袋側縦枠の脱衣室側となる内面に、連結具の連結用操作部を露出した請求項１記載の片引戸用枠体の支持構造。
【請求項３】
前記戸袋側縦枠に設けた挿通孔を通して脱衣室側から前記固定具に螺着するネジからなり、連結用操作部をネジ頭部で形成した請求項１又は２記載の片引戸用枠体の支持構造。
【発明の詳細な説明】
【技術分野】
【０００１】
本発明は、ユニットバスのパネル載置部に片引戸用枠体の戸袋側縦枠を支持させる構造に関するものである。
【背景技術】
【０００２】
従来、ユニットバスにおける片引戸用枠体の支持構造には、図１５に示す如く、床パン１の周縁フランジ部３にフック部材４を係止し、片引戸用枠体２の戸袋側縦枠２ａを支持固定する固定具５を同フック部材４に結合支持させてなるものがある（特許文献１）。この支持構造は、フック部材４及び固定具５を床パン１の周縁フランジ部３に仮止めした状態で、固定具５の一辺部５ａを片引戸用枠体２の戸袋側縦枠２ａの外面に当接させ、そして、固定具５の一辺部５ａを戸袋側縦枠２ａの外面にビス止めすると共に、同固定具５の他辺部５ｂとフック部材４のフック部４ａとの間に周縁フランジ部３の縦片３ａをビス止めにより挟着固定する。ビス止めに際しては、固定具５の固定用孔７及び挟着用孔８からビス９が電動ドライバー等でねじ込まれるものである。
【特許文献１】特開２００５−１２７１０１号公報
【発明の開示】
【発明が解決しようとする課題】
【０００３】
ところで、片引戸用枠体２の戸袋側縦枠２ａに対する固定具５の固定作業は、固定具５の固定用孔７からビス９を電動ドライバー等でねじ込んでなされ、ねじ込み作業が戸袋側縦枠２ａの外面側で行われる。そのために、従来の支持構造は、戸袋側縦枠２ａの外面側にビスねじ込み用の作業空間が必要となる。
【０００４】
しかし、建物躯体に戸袋側縦枠２ａが接近しているために、また、戸袋側縦枠２ａの外面側に躯体壁が有るために、更に、リフォーム等のように床パン１の周縁フランジ部３に壁パネルが先に建込まれ、戸袋側縦枠２ａの外面側にビスねじ込み用の作業空間を確保することができない場合には、従来の支持構造を適用することができない問題があった。
【０００５】
本発明は、戸袋側縦枠の外面側にビスねじ込み用の作業空間を確保することができない場合であっても適用できるユニットバスにおける片引戸用枠体の支持構造の提供を目的とする。
【課題を解決するための手段】
【０００６】
戸袋側縦枠の外面側に作業空間を確保することができない場合であってもユニットバスに片引戸用枠体の戸袋側縦枠を連結することができるようにするために請求項１記載の本発明が採用した手段は、ユニットバスのパネル載置部の起立片に引掛け部を引っ掛けた固定具と片引戸用枠体の戸袋側縦枠とを連結具で連結した片引戸用枠体の支持構造において、前記連結具は、戸袋側縦枠の脱衣室側に露出し、この脱衣室側から連結操作を行うことができる連結用操作部を有しており、前記片引戸用枠体は、脱衣室側から前記連結用操作部の連結操作を行い、戸袋側に戸袋パネルを取付けて脱衣室に面して支持され、戸袋側縦枠の脱衣室側となる内面に、連結具の連結用操作部を露出したことを特徴とするユニットバスにおける片引戸用枠体の支持構造。
【０００７】
請求項１記載の本発明にあっては、連結具の連結用操作部が露出する戸袋側縦枠の脱衣室側に、戸袋側縦枠の内面に面して作業空間を充分にとることができるため、脱衣室側から連結具の連結操作を行うことができる。
【０００８】
ユニットバスと戸袋側縦枠との間に所定寸法のクリアランスを設けるために請求項２記載の本発明が採用した手段は、前記戸袋側縦枠における前記固定具より上方部位に見込み方向規制具を連結具で連結し、前記戸袋側縦枠の脱衣室側となる内面に、連結具の連結用操作部を露出した請求項１記載の片引戸用枠体の支持構造である。
【０００９】
請求項２記載の本発明にあっては、戸袋側縦枠に見込み方向規制具を連結する連結具の連結操作を脱衣室側から行うことができる。
【００１０】
簡単に連結作業ができるようにするために請求項３記載の本発明が採用した手段は、前記連結具は、前記戸袋側縦枠に設けた挿通孔を通して脱衣室側から前記固定具に螺着するネジからなり、連結用操作部をネジ頭部で形成した請求項１又は２記載の片引戸用枠体の支持構造である。
【００１１】
請求項３記載の本発明にあっては、作業空間を充分にとることができる脱衣室側から電動ドライバー等のネジ回し工具でネジ頭部をねじ込むことで、戸袋側縦枠を固定具に連結させることができる。
【発明の効果】
【００１２】
請求項１記載の本発明に係るユニットバスにおける片引戸用枠体の支持構造は、戸袋側縦枠の外面側に作業空間を確保することができない場合であっても、ユニットバスに片引戸用枠体の戸袋側縦枠を連結することができる。
【００１３】
請求項２記載の本発明に係るユニットバスにおける片引戸用枠体の支持構造は、戸袋側縦枠の上方部位における戸袋見込み方向の位置を見込み方向規制具で規制でき、固定具と相まって、ユニットバスと戸袋側縦枠との間に所定寸法のクリアランスを設けることができる。
【００１４】
請求項３記載の本発明に係るユニットバスにおける片引戸用枠体の支持構造は、作業空間を充分にとることができる脱衣室側からビス頭部をねじ込むので、簡単に連結作業ができる。
【発明を実施するための最良の形態】
【００１５】
本発明に係るユニットバスにおける片引戸用枠体の支持構造（以下、「本発明支持構造」と言う。）を図面に示す実施形態に基づいて説明する。
【００１６】
（第１の実施の形態）
図１乃至図８は本発明支持構造の第１の実施の形態を示すものであり、図１はユニットバス１２の洗い場防水パン２５に片引戸用枠体１５の戸袋側縦枠１６を支持する態様であって、図（Ａ）はユニットバス１２と片引戸用枠体１５を分離した状態の平面図、図（Ｂ）は片引戸用枠体１５に固定具１４及び見込み方向規制具３０を仮止めした状態を示す正面図である。図２は片引戸用枠体１５、固定具１４、見込み方向規制具３０、座金３３及び連結具２３を分離して示す斜視図、図３は図１（Ｂ）及び図２に示す片引戸用枠体１５の「イ」箇所の支持構造における片引戸用枠体１５の戸袋側を中間省略して示す平面図、図４は洗い場防水パン２５のパネル載置部１３の起立片１３ａに固定具１４を介して片引戸用枠体１５の戸袋側縦枠１６を支持した状態を拡大して示す左側面、図５は固定具１４と片引戸用枠体１５の戸袋側縦枠１６を連結具２３，２３で連結した状態を拡大して示す正面図、図６は図１（Ｂ）及び図２に示す片引戸用枠体１５の「ハ」箇所において壁パネル２７と片引戸用枠体１５の戸袋側縦枠１６とを見込み方向規制具３０で連結した状態を示す平面図である。図７は片引戸用枠体１５、異なる態様の固定具１４及び見込み方向規制具３０、座金３３、片引戸用枠体１５並びに連結具２３を分離して示す斜視図、図８は異なる態様の固定具１４及び見込み方向規制具３０を用いた図１（Ｂ）及び図２に示す片引戸用枠体１５の「イ」箇所の支持構造であって片引戸用枠体１５の戸袋側を中間省略して示す平面図である。
【００１７】
本発明支持構造１１は、図３及び図４に示す如く、ユニットバス１２の洗い場防水パン２５のパネル載置部１３に片引戸用枠体１５の戸袋側縦枠１６を接近させ、パネル載置部１３の起立片１３ａに引掛け部１４ａを引っ掛けた固定具１４と、片引戸用枠体１５の戸袋側縦枠１６の下方寄り部位（図１（Ｂ）及び図２の「イ」箇所に相当）とをドリルねじ、ボルト等からなる連結具２３（本例は、ナベ頭ドリルねじ）で連結し、戸袋側縦枠１６の脱衣室Ｒ（浴室Ｂに隣接する部屋）に面する側となる内面１６ｄに、連結具２３の連結用操作部２３ａ（本例は、ねじ頭部）を露出させて、パネル載置部１３に戸袋側縦枠１６を固定具１４を介して支持したものである。また、本発明支持構造１１は、図６及び図２に示す如く、片引戸用枠体１５の戸袋側縦枠１６における固定具１４より上方部位（図１（Ｂ）及び図２の「ハ」箇所に相当）に見込み方向規制具３０を連結具２３（本例は、ナベ頭ドリルねじ）で連結し、戸袋側縦枠１６の脱衣室Ｒ側となる内面１６ｄに、連結具２３の連結用操作部２３ａ（本例は、ねじ頭部）を露出させてある。本発明支持構造１１は、連結具２３の連結用操作部２３ａが露出する戸袋側縦枠１６の脱衣室Ｒ側に、戸袋側縦枠１６の内面１６ｄに面して作業空間を充分にとることができるため、脱衣室Ｒ側から連結具２３の連結操作（本例は、ナベ頭ドリルねじに対するねじ込み操作）を容易に行うことができるようになっている。
【００１８】
前記ユニットバス１２は、図１（Ａ）に示す如く、浴槽２４と、洗い場防水パン２５と、浴槽２４の周縁に設けられたパネル載置部２６及び洗い場防水パン２５の周縁に設けられたパネル載置部１３に載置して建込んだ複数枚の壁パネル２７とを備え、洗い場側にカウンター２８を設置してある。ユニットバス１２は、浴槽設置用防水パン（図示省略）の周縁に設けられたパネル載置部に壁パネル２７を載置して建込む仕様のものもある。
【００１９】
前記片引戸用枠体１５は、図１（Ｂ）に示す如く、戸袋側縦枠１６、戸先側縦枠１７及び中間の方立２０を、上枠１８及び下枠１９で連結して枠組みされ、上枠１８及び下枠１９に設けた案内レールに引戸２１を案内してある。戸袋側縦枠１６は、図３及び図２に示す如く、見込み方向（脱衣室Ｒから浴室Ｂへ向かう矢符Ｍ方向）に沿う主板部１６ａと、主板部１６ａから内側方向（方立２０へ向かう矢符Ｎ方向）へ延びる内鍔部１６ｂと、主板部１６ａから外側方向（矢符Ｎ方向と逆方向）へ延びる外鍔部１６ｃとを備え、内鍔部１６ｂの所定高さ位置に連結具２３用の挿通孔２２（図２参照）が穿設されている。挿通孔２２は、戸袋側縦枠１６に対する固定具１４の取付け高さ位置を調整（即ち、片引戸用枠体１５の排水勾配を確保するためのレベル調整）ができるように縦長の長孔にしてある。挿通孔２２は、固定具１４の取付け高さ位置の調整が不要なときは円孔（図示略）となる。
【００２０】
前記固定具１４は、図２に示す如く、金属板を折曲げ加工する等して成形され、戸袋側縦枠１６の内鍔部１６ｂ及び外鍔部１６ｃに当接する当接部１４ｂと、当接部１４ｂから見込み方向（矢符Ｍ方向）へ延びる突出部１４ｃと、突出部１４ｃから内側方向（矢符Ｎ方向）へ延びる係止部１４ｄと、当接部１４ｂから見込み方向（矢符Ｍ方向）と逆方向へ延びる位置決め部１４ｅとからなり、突出部１４ｃと係止部１４ｄの境界部に切り込んだ引掛け部１４ａを設け、図４に示すユニットバス１２のパネル載置部１３の起立片１３ａに引掛け部１４ａを引っ掛けできるようにしてある。固定具１４は、引掛け部１４ａを上下二個設け、右用と左用の何れにも使用できるようにしてある。固定具１４は、当接部１４ｂに連結具２３を連結するための下孔１４ｆ，１４ｆ（図２参照）を設けてある。
【００２１】
前記見込み方向規制具３０は、ユニットバス１２と戸袋側縦枠１６との間に所定寸法のクリアランスを設けるためのものであって、図２及び図６に示す如く、金属板を折曲げ加工する等して成形され、戸袋側縦枠１６の内鍔部１６ｂ及び外鍔部１６ｃに当接する当接部３０ｂと、当接部３０ｂから見込み方向（矢符Ｍ方向）へ延びる突出部３０ｃと、突出部３０ｃから外側方向（矢符Ｎ方向と逆方向）へ延びる規制部３０ｄと、当接部３０ｂから見込み方向（矢符Ｍ方向）と逆方向へ延びる位置決め部３０ｅとからなり、規制部３０ｄに仮止用の両面粘着テープ３１，３１を貼着し、両面粘着テープ３１，３１の間等に接着剤３２（図６参照）を充填できるようにしてある。見込み方向規制具３０は、当接部３０ｂに連結具２３を連結するための下孔３０ｆ，３０ｆを設けてある。
【００２２】
前記片引戸用枠体１５の戸袋側縦枠１６に対して固定具１４及び見込み方向規制具３０を強固に連結するための座金３３は、金属板から長板状に形成された座板部３３ａと、座板部３３ａから延びる折曲片３３ｂとを備え、座板部３３ａに連結具２３用の挿通孔３３ｃが円孔に穿設されている。折曲片３３ｂは、取扱性を良好にし、剛性を大きくするために必要に応じて備えられるものである。
【００２３】
次に、この実施形態に係る本発明支持構造１１の施工手順を説明する。まず、図１（Ｂ）に示す如く、片引戸用枠体１５の戸袋側縦枠１６に固定具１４と見込み方向規制具３０を座金３３及び連結具２３，２３を用いて仮止めする。次に、図３及び図５に示す如く、片引戸用枠体１５をユニットバス１２の洗い場防水パン２５に寄せ、片引戸用枠体１５の戸先側をユニットバス１２の出入口部２９に嵌込むと共に、片引戸用枠体１５の戸袋側を洗い場防水パン２５のパネル載置部１３に接近させた状態で固定具１４の引掛け部１４ａをパネル載置部１３の起立片１３ａに引っ掛ける。続けて、脱衣室Ｒ側から各連結具２３に対する連結操作（本例は、ナベ頭ドリルねじ２３に対する電動ドライバー等によるねじ込み緊締の操作）を行ない、ユニットバス１２の洗い場防水パン２５へ片引戸用枠体１５の戸袋側を引き寄せた状態で、片引戸用枠体１５の戸袋側をユニットバス１２のパネル載置部１３に支持する。片引戸用枠体１５の排水勾配を確保するためのレベル調整が必要なときには、連結具２３が挿通する長孔の挿通孔２２を利用して固定具１４の取付け高さ位置を調整しつつ連結具２３を連結操作する。
【００２４】
更に続けて、見込み方向規制具３０を仮止めしている各連結具２３に対する連結操作（本例は、ナベ頭ドリルねじ２３に対する電動ドライバー等によるねじ込み緊締の操作）を行うと共に、見込み方向規制具３０の両面粘着テープ３１，３１の間に接着剤３２を充填した後に、見込み方向規制具３０を壁パネル２７の裏側に接合して本発明支持構造１１を得る。なお、片引戸用枠体１５の戸袋側が鉛直でないときには、両面粘着テープ３１の厚み寸法を調整するとよい。接着剤３２が硬化するまでは、壁パネル２７に対する見込み方向規制具３０の止付けを両面粘着テープ３１，３１で維持されることになる。
【００２５】
最後に、片引戸用枠体１５を建物躯体の壁、床、柱等（図示略）にビス止め等で固定し、片引戸用枠体１５の戸袋側に戸袋パネル３６（図３参照）を取付けて片引戸用枠体１５の建て込みを完了する。
【００２６】
本発明支持構造１１は、建物躯体に戸袋側縦枠１６が接近しているために、また、戸袋側縦枠１６の外面側に躯体壁が有るために、更に、リフォーム等のようにユニットバス１２の壁パネル２７が先に建込まれているために、戸袋側縦枠１６の脱衣室Ｒに面しない外面側に作業空間を確保することができない場合であっても、ユニットバス１２に隣接する脱衣室Ｒ側からユニットバス１２に片引戸用枠体１５の戸袋側縦枠１６を連結することができる。
【００２７】
なお、前記固定具１４及び見込み方向規制具３０は、片引戸用枠体１５の戸袋側縦枠１６の内鍔部１６ｂに座金３３及び連結具２３，２３を用いて取付ける以外に、図７及び図８に示す如く、片引戸用枠体１５の戸袋側縦枠１６の主板部１６ａに座金３３及び連結具２３，２３を用いて取付ける態様もある。この態様の固定具１４は、位置決め部１４ｅを延長すると共に、位置決め部１４ｅに下孔１４ｆ，１４ｆを設け、この態様の見込み方向規制具３０は、位置決板部３０ｅを延長すると共に、位置決板部３０ｅに下孔３０ｆ，３０ｆを設けてある。更に、片引戸用枠体１５の戸袋側縦枠１６の主板部１６ａは、主板部１６ａに挿通孔２２，２２及び３４，３４を設けてある。
【００２８】
（第２の実施の形態）
図９及び図１０は本発明支持構造の第２の実施の形態を示すものであり、図９はユニットバス１２の浴槽２４に片引戸用枠体１５の戸袋側縦枠１６を支持する態様であって、図（Ａ）はユニットバス１２と片引戸用枠体１５を分離した状態の平面図、図（Ｂ）は片引戸用枠体１５に固定具１４及び見込み方向規制具３０を仮止めした状態を示す正面図である。図１０は浴槽２４に設けたパネル載置部２６の起立片２６ａに固定具１４を介して片引戸用枠体１５の戸袋側縦枠１６の対応する部分（図９（Ｂ）に示す片引戸用枠体１５の「ロ」箇所に相当する部分）を支持した状態を拡大して示す左側面である。
【００２９】
本実施の形態に係る本発明支持構造４１が前記第１の実施の形態に係る本発明支持構造１１（図１乃至図６）と大きく相違するの点は、浴槽２４に一体成形する等して設けたパネル載置部２６の起立片２６ａに固定具１４を介して片引戸用枠体１５の戸袋側縦枠１６の対応部分（図９（Ｂ）に示す片引戸用枠体１５の「ロ」箇所に相当する部分）を支持したことであり、その他の点については第１の実施の形態と実質的に同一であり、図９及び図１０において図１及び図６と同一符号は相当部分を示す。
【００３０】
（第３の実施の形態）
図１１乃至図１４は本発明支持構造の第３の実施の形態を示すものであり、図１１は片引戸用枠体１５、固定具５４、座金３３及び連結具２３を分離して示す斜視図、図１２は浴槽２４に設けたパネル載置部２６の起立片２６ａに固定具５４を介して片引戸用枠体１５の戸袋側縦枠１６の対応部分（図１１に示す片引戸用枠体１５の「ロ」箇所に相当する部分）の支持構造における施工手順を示す側面図であって、図（Ａ）は戸袋側縦枠１６に固定具５４の当接部５４ｂを座金３３及び連結具２３を用いて仮止めした状態を示し、図（Ｂ）は固定具５４を戸袋側縦枠１６と共にユニットバス１２の浴槽２４に接近させると共に浴槽２４のパネル載置部２６の起立片２６ａと壁パネル６７の裏面下端縁の窪み部６７ａの間に固定具５４の係止片５４ｇの挿入片５４ｇ−１を差し込んでいる途中の状態を示し、図（Ｃ）は差し込んで起立させた固定具５４の係止片５４ｇの接合片５４ｇ−２に取付片５４ｈをネジ５５で接合した後に連結具２３を緊締した状態であって固定具５４の一部を破断して示すものである。図１３は浴槽２４に設けたパネル載置部２６の起立片２６ａに固定具５４を介して片引戸用枠体１５の戸袋側縦枠１６を支持した状態を示すものであって壁パネルを省略して示す斜視図である。図１４は洗い場防水パン２５のパネル載置部１３の起立片１３ａに固定具５４を介して片引戸用枠体１５の戸袋側縦枠１６を支持した状態であって固定具５４の突出部５４ｃの一部を破断して示す左側面である。
【００３１】
ユニットバス１２を構築する壁パネル６７には、図１２（Ａ）及び図１４に示す如く、その厚みＴがユニットバス１２の洗い場防水パン２５のパネル載置部１３や浴槽２４のパネル載置部２６の奥行き寸法Ｕよりも大きいために、その裏面６７ｂがパネル載置部１３（２６）の起立片１３ａ（２６ａ）よりも外側（脱衣室Ｒ側）へ飛び出すものがある。壁パネル６７は、例えば、骨組みとなる裏面側の枠体６７ｃと、枠体６７ｃに接合した中間の下地板６７ｄと、下地板６７ｄに貼着した表面側のタイル６７ｅとからなり、裏面下方に窪み部６７ａを設けてある。この壁パネル６７をパネル載置部１３（２６）に建て込んだ場合には、前記固定具１４（図４参照）を用いようとしても、飛び出した壁パネル裏面６７ｂが邪魔となり、係止部１４ｄをパネル載置部１３（２６）の起立片１３ａ（２６ａ）に引っ掛けることができず固定具１４を用いるこができない。
【００３２】
本発明支持構造５１は、その厚みＴが大きい壁パネル６７を建て込む仕様に対処できるように固定具５４を用いている。固定具５４は、係止部５４ｄが前記固定具１４（図４参照）の係止部１４ｄと異なり、突出部５４ｃに連接して内側方向Ｎに沿って延びる取付片５４ｈと、取付片５４ｈにネジ５５で接合できる係止片５４ｇとを備えている。固定具５４は、前記固定具１４と同様に、戸袋側縦枠１６の内鍔部１６ｂ及び外鍔部１６ｃに当接する当接部５４ｂと、当接部５４ｂから見込み方向（矢符Ｍ方向）へ延びる突出部５４ｃと、当接部５４ｂから見込み方向（矢符Ｍ方向）と逆方向へ延びる位置決め部５４ｅとからなり、突出部５４ｃと取付片５４ｈとの境界部に引掛け部５４ａを設ける共に当接部５４ｂに連結具２３を連結するための下孔５４ｆ，５４ｆを設けてある。係止片５４ｇは、下方の挿入片５４ｇ−１と上方の接合片５４ｇ−２との境界に段部５４ｇ−３を設け、壁パネル６７の窪み部６７ａに挿入片５４ｇ−１を差し込んだ後に、露出している接合片５４ｇ−３に取付片５４ｈをネジ５５で接合できるようにしてある。固定具５４は、取付片５４ｈと係止片５４ｇを接合することにより、段部５４ｇ−２が引掛け部５４ａの一部となる。
【００３３】
次に、この実施形態に係る本発明支持構造５１の施工手順を説明する。まず、図１２（Ａ）に示す如く、片引戸用枠体１５の戸袋側縦枠１６に固定具５４の当接部５４ｂを座金３３及び連結具２３，２３を用いて仮止めする。次に、同図（Ｂ）に示す如く、片引戸用枠体１５をユニットバス１２の浴槽２４に寄せると共に、壁パネル６７の窪み部６７ａとパネル載置部２６の起立片２６ａとの間に挿入片５４ｇ−１を差し込み、起立させた係止片５４ｇの接合片５４ｇ−２に取付片５４ｈをネジ５５で接合する。続けて、同図（Ｃ）及び図１３に示す如く、脱衣室Ｒ側から各連結具２３に対する連結操作（本例は、ナベ頭ドリルねじ２３に対する電動ドライバー等によるねじ込み緊締の操作）を行ない、ユニットバス１２の浴槽２４へ片引戸用枠体１５の戸袋側を引き寄せた状態で、片引戸用枠体１５の戸袋側をユニットバス１２のパネル載置部２６に支持する。片引戸用枠体１５の排水勾配を確保するためのレベル調整が必要なときには、連結具２３が挿通する長孔の挿通孔２２（図１１参照）を利用して固定具５４の取付け高さ位置を調整しつつ連結具２３を連結操作する。最後に、片引戸用枠体１５を建物躯体にビス止め等で固定し、片引戸用枠体１５の戸袋側に戸袋パネル３６（図３参照）を取付けて片引戸用枠体１５の建て込みを完了する。なお、見込み方向規制具３０（図２参照）の取付けについては、前記第１の実施の形態と実質的に同一であるため、説明を省略する。
【００３４】
ユニットバス１２の洗い場防水パン２５のパネル載置部１３に固定具５４を用いて片引戸用枠体１５の戸袋側縦枠１６を支持するには、図１4 に示す如く、壁パネル６７の窪み部６７ａとパネル載置部１３の起立片１３ａとの間に固定具５４の挿入片５４ｇ−１を差し込み、前記浴槽２４のパネル載置部２６と同様にして施工すればよい。
【図面の簡単な説明】
【００３５】
【図１】本発明支持構造の第１の実施の形態において、ユニットバスの洗い場防水パンに片引戸用枠体の戸袋側縦枠を支持する態様であって、図（Ａ）はユニットバスと片引戸用枠体を分離した状態の平面図、図（Ｂ）は片引戸用枠体に固定具及び見込み方向規制具を仮止めした状態を示す正面図である。
【図２】第１の実施の形態において、片引戸用枠体、固定具、見込み方向規制具、座金及び連結具を分離して示す斜視図である。
【図３】第１の実施の形態において、図１（Ｂ）に示す片引戸用枠体の「イ」箇所の支持構造における片引戸用枠体の戸袋側を中間省略して示す平面図である。
【図４】第１の実施の形態において、洗い場防水パンのパネル載置部の起立片に固定具を介して片引戸用枠体の戸袋側縦枠を支持した状態を拡大して示す左側面である。
【図５】第１の実施の形態において、固定具と片引戸用枠体の戸袋側縦枠を連結具で連結した状態を拡大して示す正面図である。
【図６】第１の実施の形態において、図１（Ｂ）に示す片引戸用枠体の「ハ」箇所において壁パネルと片引戸用枠体の戸袋側縦枠とを見込み方向規制具で連結した状態を示す平面図である。
【図７】第１の実施の形態において、片引戸用枠体、異なる態様の固定具及び見込み方向規制具、座金、片引戸用枠体並びに連結具を分離して示す斜視図である。
【図８】第１の実施の形態において、異なる態様の固定具及び見込み方向規制具を用いた図１（Ｂ）に示す片引戸用枠体の「イ」箇所の支持構造であって片引戸用枠体の戸袋側を中間省略して示す平面図である。
【図９】本発明支持構造の第２の実施の形態を示すものであって、ユニットバスの浴槽に片引戸用枠体の戸袋側縦枠を支持する態様であり、図（Ａ）はユニットバスと片引戸用枠体を分離した状態の平面図、図（Ｂ）は片引戸用枠体に固定具及び見込み方向規制具を仮止めした状態を示す正面図である。
【図１０】第２の実施の形態において、浴槽に一体成形したパネル載置部の起立片に固定具を介して片引戸用枠体の戸袋側縦枠の対応する部分（図９（Ｂ）に示す片引戸用枠体の「ロ」箇所に相当する部分）を支持した状態を拡大して示す左側面である。
【図１１】本発明支持構造の第３の実施の形態を示すものであって、片引戸用枠体、固定具、座金及び連結具を分離して示す斜視図である。
【図１２】第３の実施の形態において、浴槽に設けたパネル載置部の起立片に固定具を介して片引戸用枠体の戸袋側縦枠を支持する施工手順を示す側面図である。
【図１３】第３の実施の形態において、浴槽に設けたパネル載置部の起立片に固定具を介して片引戸用枠体の戸袋側縦枠を支持状態を示すものである。
【図１４】第３の実施の形態において、洗い場防水パンのパネル載置部の起立片に固定具を介して片引戸用枠体の戸袋側縦枠を支持した状態である。
【図１５】従来のユニットバスにおける片引戸用枠体の支持構造を示す斜視図である。
【符号の説明】
【００３６】
１２…ユニットバス、１３（２６）…パネル載置部、１３ａ（２６ａ）…起立片、１４ａ（５４ａ）…引掛け部、１４（５４）…固定具、１５…片引戸用枠体、１６…戸袋側縦枠Ｒ…脱衣室、２３…連結具、２３ａ…連結用操作部
【図１】
0005288834.tif 000002
【図２】
0005288834.tif 000003
【図３】
0005288834.tif 000004
【図４】
0005288834.tif 000005
【図５】
0005288834.tif 000006
【図６】
0005288834.tif 000007
【図７】
0005288834.tif 000008
【図８】
0005288834.tif 000009
【図９】
0005288834.tif 000010
【図１０】
0005288834.tif 000011
【図１１】
0005288834.tif 000012
【図１２】
0005288834.tif 000013
【図１３】
0005288834.tif 000014
【図１４】
0005288834.tif 000015
【図１５】
0005288834.tif 000016